(57)【要約】【課題】メンテナンスが容易なスカム除去装置を提供する。【解決手段】スカム除去装置１０は、下水処理水路２０の進行方向に対向して設けられる取水口部材１１と、下水処理水路２０の両側壁２０Ｒ・２０Ｌに鉛直に取り付けられた２枚の支持板２１Ａ・２１Ｂの間に挟まるように、取水口部材１１の両側部１１Ｒ・１１Ｌのそれぞれに取り付けられた一組の支持部材１２Ｒ・１２Ｌと、取水口部材１１の出口側１１Ｅに設けられ、該取水口部材１１に流入したスカムＳを排出する排出部材１３と、取水口部材１１の底部１１Ｂに設けられ、該取水口部材１１を下水の水面に浮かせる浮き子部材１４とを備える。【選択図】      図１
2008212899.tif 000002
【特許請求の範囲】
【請求項１】
下水処理水路の進行方向に対向して設けられる取水口部材と、
前記水路の両側壁に鉛直に取り付けられた２枚の支持板の間に挟まるように、前記取水口部材の両側部のそれぞれに取り付けられた一組の支持部材と、
前記取水口部材の出口側に設けられ、該取水口部材に流入したスカムを排出する排出部材と、
前記取水口部材の底部に設けられ、該取水口部材を下水の水面に浮かせる浮き子部材と
を備えたことを特徴とするスカム除去装置。
【請求項２】
請求項１に記載のスカム除去装置において、
前記取水口部材に設けられ、前記取水口部材の底部と前記下水の水面との高さを調整するための調整錘
をさらに備えたことを特徴とするスカム除去装置。
【請求項３】
請求項１または請求項２に記載のスカム除去装置において、
前記取水口部材は、入口側より出口側を細くした
ことを特徴とするスカム除去装置。
【請求項４】
請求項１乃至請求項３のいずれか1項に記載のスカム除去装置において、
前記排出部材は、フレキシブル継ぎ手
を備えたことを特徴とするスカム除去装置。
【請求項５】
請求項１乃至請求項４のいずれか1項に記載のスカム除去装置において、
前記排出部材は、ビニールホースからなるフレキシブル継ぎ手
を備えたことを特徴とするスカム除去装置。
【発明の詳細な説明】
【技術分野】
【０００１】
本発明は、メンテナンスが容易なスカム除去装置に関する。
【背景技術】
【０００２】
従来から下水処理において、汚泥が除去されている。
【０００３】
具体的には、図４に概念を示すように、下水をフィルタＦで濾過した後、貯水する（Ｓ１）。そして、沈殿工程において、バクテリア等の微生物と汚泥とを反応させて沈殿させる（Ｓ２）。次に、沈殿処理された処理水を、殺菌工程で殺菌する（Ｓ３）。それから、殺菌処理した処理水を川に放流する（Ｓ４）。
【０００４】
ここで、上述の沈殿工程と殺菌工程との間には越流堰Gが設けられ、沈殿した汚泥が堰き止められる。
【０００５】
ところが、汚泥の一部には、いわゆるスカムとなって浮遊するものがある。スカムは、微生物が下水を食べて膨れたものであり、非常に弱い力で集合したものである。そして、このスカムは、殺菌工程に到達した場合、処理水の殺菌を阻害することがある。
【０００６】
そこで、スカムを除去するための装置が開発されている（例えば特許文献１，２参照）。
【特許文献１】特開平１−２９３１０８号
【特許文献２】実公昭６３−３０５４６号
【発明の開示】
【発明が解決しようとする課題】
【０００７】
しかしながら、上述した特許文献１，２に係る装置はリンク機構等を有している。
【０００８】
それゆえ、保守の観点から定期的に検査する必要が生じる。また、検査に際して、下水の流れを一時的に止めなければならない場合もある。
【０００９】
本発明は、上記実情に鑑みてなされたものであり、メンテナンスが容易なスカム除去装置を提供することを目的とする。
【課題を解決するための手段】
【００１０】
本発明は上記課題を解決するために、下水処理水路の進行方向に対向して設けられる取水口部材と、前記水路の両側壁に鉛直に取り付けられた２枚の支持板の間に挟まるように、前記取水口部材の両側部のそれぞれに取り付けられた一組の支持部材と、前記取水口部材の出口側に設けられ、該取水口部材に流入したスカムを排出する排出部材と、前記取水口部材の底部に設けられ、該取水口部材を下水の水面に浮かせる浮き子部材とを備えたスカム除去装置を提供する。
【００１１】
＜作用＞
従って、本発明は以上のような手段を講じたことにより、処理水量が増減して水面が上下に変動しても取水口部材が上下に追随して変動するので、リンク機構等が不要でメンテナンスが容易なスカム除去装置を提供できる。
【発明の効果】
【００１２】
本発明によれば、メンテナンスが容易なスカム除去装置を提供できる。
【発明を実施するための最良の形態】
【００１３】
以下、図面を参照して本発明の実施形態を説明する。
【００１４】
＜第1の実施形態＞
（１−１．構成）
図１は本発明の第１の実施形態に係るスカム除去装置１０の平面方向の構成を示す模式図であり、図２はスカム除去装置１０の側面方向の構成を示す模式図である。
【００１５】
スカム除去装置１０は、下水処理水路２０に設置されるものであり、取水口部材１１と支持部材１２Ｒ・１２Ｌ・排出部材１３・浮き子部材１４・調整錘１５とを備えている。
【００１６】
取水口部材１１は、下水処理水路２０の進行方向に対向して設けられている。詳しくは図３の正面図に示すように、取水口部材１１は長方形の開口を有しており、入口側から出口側に向けて徐々に細くなっている形状の構造物である。この取水口部材１１は、金属やプラスチック等により形成される。特に、錆びないようにステンレスで形成されることが望ましい。なお、取水口部材１１は、例えば１０ｃｍ程度の高さの構造物であり、２〜３ｃｍ程度処理水に沈めて使用される。
【００１７】
支持部材１２Ｒ・１２Ｌは、取水口部材１１の両側部１１Ｒ・１１Ｌにそれぞれ設けられている棒状の部材である。そして、この支持部材１２Ｒ・１２Ｌは、下水路２０の両側壁２０Ｒ・２０Ｌに鉛直に取り付けられた２枚の支持板２１Ａ・２１Ｂの間に挟まるように設置される。これにより、支持部材１２Ｒ・１２Ｌが支持板２１Ａ・２１Ｂから拘束されるので、下水処理水路の進行方向に取水口部材１１が流されることを回避することができる。
【００１８】
排出部材１３は、取水口部材１１の出口側１１Ｅに設けられ、該取水口部材１１に流入したスカムＳを排出するものである。また、排出部材１３は、「フレキシブル継ぎ手１３Ｊ」を備えている。フレキシブル継ぎ手１３Ｊは、ビニールホースや柔らかい金属からなるシリンダー形状の構造物である。このフレキシブル継ぎ手１３Ｊにより、下水の水面が上下に変動しても、取水口部材１１をその下水の水面の変動に応じて上下に移動させることが可能となっている。
【００１９】
浮き子部材１４は、取水口部材１１の底部１１Ｂに設けられ、該取水口部材１１を下水の水面に浮かせるものである。この浮き子部材１４は、例えば中空の金属などで構成される。特にメンテナンスの観点からステンレスにより形成されることが望ましい。
【００２０】
調整錘１５は、取水口部材１１の底部１１Ｂと下水の水面との高さを調整するための錘である。例えば、取水口部材１１の上面部１１Ｔにネジなどを用いて取り付けられる。
【００２１】
なお、下水処理水路２０の両側壁２０Ｒ・２０Ｌには、それぞれ２枚の支持板２１Ａ・２１Ｂが鉛直に取り付けられている。下水処理水路２０はセメント等で形成されているので、アンカーボルトを用いることにより支持板２１Ａ・２１Ｂの取り付けが可能である。
【００２２】
（１−２．作用）
上述したように、本実施形態に係るスカム除去装置１０は、下水処理水路２０の進行方向に対向して設けられる取水口部材１１と、下水処理水路２０の両側壁２０Ｒ・２０Ｌに鉛直に取り付けられた２枚の支持板２１Ａ・２１Ｂの間に挟まるように、取水口部材１１の両側部１１Ｒ・１１Ｌのそれぞれに取り付けられた一組の支持部材１２Ｒ・１２Ｌと、取水口部材１１の出口側１１Ｅに設けられ、該取水口部材１１に流入したスカムＳを排出する排出部材１３と、取水口部材１１の底部１１Ｂに設けられ、該取水口部材１１を下水の水面に浮かせる浮き子部材１４とを備えており、処理水量が増減して水面が上下に変動しても、浮き子部材１４により取水口部材１１が上下に追随して変動するので、リンク機構等を備えなくてもスカムの除去が可能である。それゆえ、メンテナンスが容易なスカム除去装置を提供できる。
【００２３】
なお、スカム除去装置１０は、支持部材１２Ｒ・１２Ｌを介して、下水処理水路２０に取り付けられた２枚の支持板２１Ａ・２１Ｂの間に挟まるようにして固定されるだけなので、持ち上げるだけで取り外すことができる。それゆえ、下水処理水路の状態に関係なく掃除などを容易に行なうことができ、メンテナンスが容易なスカム除去装置を提供できる。
【００２４】
また、スカム除去装置は、調整錘１５を備えているので、取水口部材１１の底部１１Ｂと下水の水面との高さを調整することができる。これにより、スカムの量の増減に応じて取水口部材１１の位置を上下させて、取水量を最適化することができる。
【００２５】
また、本実施形態に係るスカム除去装置１０の取水口部材１１は、入口側１１Ｉより出口側１１Ｅを細くしているので、取水量を低減することができる。補足すると、下水はポンプ等により圧力を加えて流しているのではないため、取水口部材１１の内壁からの反発力により、スカムを含む下水が取水口部材１１から押し出されるといった事態は生じない。そのため、取水口部材１１の入口側１１Ｉより出口側１１Ｅを細くしても、スカムの採取量は変わらないので、余分に捨てる水を減らすことができるようになる。
【００２６】
なお、本実施形態に係るスカム除去装置１０においては、排出部材１３が、フレキシブル継ぎ手１３Ｊを備えているので、下水の水面が上下に変動しても、取水口部材１１をその下水の水面の変動に応じて上下に移動させることができる。
【００２７】
＜その他＞
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【図面の簡単な説明】
【００２８】
【図１】本発明の第１の実施形態に係るスカム除去装置１０の平面方向の構成を示す模式図である。
【図２】同実施形態に係るスカム除去装置１０の側面方向の構成を示す模式図である。
【図３】同実施形態に係るスカム除去装置１０の正面図の例である。
【図４】一般的な下水処理の概念を示す模式図である。
【符号の説明】
【００２９】
１０・・・スカム除去装置、１１・・・取水口部材、１２Ｒ・１２Ｌ・・・支持部材、１３・・・排出部材、１４・・・浮き子部材、１５・・・調整錘、２０・・・下水処理水路、２１Ａ・２１Ｂ・・・支持板。
【図１】
2008212899.tif 000003
【図２】
2008212899.tif 000004
【図３】
2008212899.tif 000005
【図４】
2008212899.tif 000006